【手続補正書】
【提出日】平成16年9月17日(2004.9.17)
【手続補正１】
【補正対象書類名】明細書
【補正対象項目名】特許請求の範囲
【補正方法】変更
【補正の内容】
【特許請求の範囲】
【請求項１】
回転力が入力される入力軸と、前記入力軸に結合されて入力軸と一体で回転する一対の入力側ディスクと、前記入力側ディスクの回転力がパワーローラを介して伝達される一対の出力側ディスクと、前記入力軸の外周に回転自在に支持されるとともに前記出力側ディスクに連結され、出力側ディスクの回転力を出力軸に伝達する出力歯車とを備え、ハウジングケースに組み付けられる中間壁に背面合わせで組み込まれた一対のアンギュラ軸受によって前記出力歯車が回転可能に支持されて成るトロイダル型無段変速機の前記アンギュラ軸受に予圧を付与するための予圧付与治具において、
一方側の前記出力側ディスクの端部に当接される頭部と、前記入力軸が挿通される両出力側ディスクおよび前記出力歯車の貫通孔に挿通される軸部とから成るボルト部材と、
前記ボルト部材の前記軸部の端部に螺合され、他方側の前記出力側ディスクの端部に当接されるナット部材と、
を備え、
前記ボルト部材の前記軸部を両出力側ディスクおよび出力歯車の貫通孔に挿通するとともに、前記軸部の端部に前記ナット部材を螺合して、前記ナット部材と前記ボルト部材の前記頭部との間で両出力側ディスクを両側から挟み込むように締め付けることにより、出力側ディスクと接触するアンギュラ軸受に予圧を付与することを特徴とする予圧付与治具。
【請求項２】
回転力が入力される入力軸と、前記入力軸に結合されて入力軸と一体で回転する一対の入力側ディスクと、パワーローラと接触するトラクション面を有し且つ前記入力側ディスクの回転力が前記パワーローラを介して伝達される一対の出力側ディスクと、前記入力軸の外周に回転自在に支持されるとともに前記出力側ディスクの回転力を出力軸に伝達する出力歯車とを備えたトロイダル型無段変速機の組立方法において、
一対のアンギュラ軸受を背面合わせで中間壁に組み込み、
前記出力歯車のフランジ部を各アンギュラ軸受の内輪部に回転可能に支持するとともに、出力歯車の前記フランジ部に各出力側ディスクを装着して、各出力側ディスクの背面をこれに対向するアンギュラ軸受の内輪に接触させ、
予圧付与治具のボルト部材の軸部を両出力側ディスクおよび出力歯車の貫通孔に挿通するとともに、軸部の端部にナット部材を螺合して、ナット部材とボルト部材の頭部との間で両出力側ディスクを両側から挟み込むように締め付け、これによって、アンギュラ軸受に予圧を付与し、
予圧を付与した状態で、中間壁の基準位置からの出力側ディスクのトラクション面位置を測定し、
測定した出力側ディスクのトラクション面位置に基づいて、出力側ディスクおよび中間壁をハウジングケースに組み付けることを特徴とするトロイダル型無段変速機の組立方法。
【請求項３】
前記予圧付与治具で前記出力側ディスクを締め付け固定したまま、前記中間壁を前記ハウジングケースに組み込み、組み付けが完了した後、前記ボルト部材および前記ナット部材を取り外し、これらに代えて、両出力側ディスクおよび出力歯車の貫通孔に前記入力軸を挿通することを特徴とする請求項２に記載の組立方法。
【請求項４】
前記ボルト部材の案内によって、前記入力軸を両出力側ディスクおよび出力歯車の貫通孔に挿通することを特徴とする請求項３に記載の組立方法。
【手続補正２】
【補正対象書類名】明細書
【補正対象項目名】００１１
【補正方法】変更
【補正の内容】
【００１１】
また、中間壁１３の出力歯車４を回転支持するための軸受として、図１に示されるようなアンギュラ軸受３０を使用する場合には、アンギュラ軸受３０の予圧調整を正確に行なう必要がある。なぜなら、予圧調整を正確に行なわなければ、予圧不足によるアンギュラ軸受３０の寿命の低下や予圧過大による起動トルクの増大を引き起こしてしまうからである。また、起動トルクが増大すると、トロイダル無段変速機全体の効率が低下する虞もある。
【手続補正３】
【補正対象書類名】明細書
【補正対象項目名】００１２
【補正方法】変更
【補正の内容】
【００１２】
しかしながら、中間壁１３に取付けられたアンギュラ軸受３０が図１に示されるように背面合わせとなっている場合、中間壁１３にアンギュラ軸受３０を組み込んだだけでは、アンギュラ軸受３０に予圧が付与される状態とはならない。予圧が付与されていない状態でのアンギュラ軸受３０のスラスト方向の歪み量は、実際に中間壁１３をハウジングケースに組み付けて負荷を与えた場合のそれと大きく異なる。そのため、中間壁１３をハウジングケースに組み付ける前にアンギュラ軸受３０に予圧を付与しないで出力側ディスク３Ａ，３Ｂのトラクション面位置を測定すると、その測定値は、実際に中間壁１３をハウジングケースに組み付けた場合におけるトラクション面位置と異なる結果となる。
【手続補正４】
【補正対象書類名】明細書
【補正対象項目名】００１５
【補正方法】変更
【補正の内容】
【００１５】
【課題を解決するための手段】
前記課題を解決するために、請求項１に記載された発明は、回転力が入力される入力軸と、前記入力軸に結合されて入力軸と一体で回転する一対の入力側ディスクと、前記入力側ディスクの回転力がパワーローラを介して伝達される一対の出力側ディスクと、前記入力軸の外周に回転自在に支持されるとともに前記出力側ディスクに連結され、出力側ディスクの回転力を出力軸に伝達する出力歯車とを備え、ハウジングケースに組み付けられる中間壁に背面合わせで組み込まれた一対のアンギュラ軸受によって前記出力歯車が回転可能に支持されて成るトロイダル型無段変速機の前記アンギュラ軸受に予圧を付与するための予圧付与治具において、一方側の前記出力側ディスクの端部に当接される頭部と、前記入力軸が挿通される両出力側ディスクおよび前記出力歯車の貫通孔に挿通される軸部とから成るボルト部材と、前記ボルト部材の前記軸部の端部に螺合され、他方側の前記出力側ディスクの端部に当接されるナット部材とを備え、前記ボルト部材の前記軸部を両出力側ディスクおよび出力歯車の貫通孔に挿通するとともに、前記軸部の端部に前記ナット部材を螺合して、前記ナット部材と前記ボルト部材の前記頭部との間で両出力側ディスクを両側から挟み込むように締め付けることにより、出力側ディスクと接触するアンギュラ軸受に予圧を付与することを特徴とする。
【手続補正５】
【補正対象書類名】明細書
【補正対象項目名】００３０
【補正方法】変更
【補正の内容】
【００３０】
なお、出力側ディスク３Ａ，３Ｂおよび中間壁１３をハウジングケースに組み付ける場合には、予圧付与治具４０で出力側ディスク３Ａ，３Ｂを固定したまま、中間壁１３をハウジングケース（図示せず）に組み込む。そして、組み付けが完了した後、ボルト部材４０Ａおよびナット部材４０Ｂを取り外し、これらに代えて、両出力側ディスク３Ａ，３Ｂおよび出力歯車４の貫通孔に入力軸１を挿通する。この場合、ボルト部材４０Ａの案内によって入力軸１を挿通すれば、ケージおよびローラ（あるいは、軸受け５等）が入力軸１と干渉することなく、スムーズに入力軸１を挿通できる。
【手続補正６】
【補正対象書類名】明細書
【補正対象項目名】００３５
【補正方法】変更
【補正の内容】
【００３５】
また、以上説明した画期的な組立方法は、ボルト・ナット構造を成す予圧付与治具４０の特徴的な構成によって初めて実現することができる。すなわち、本実施形態の予圧付与治具４０は、一方側の出力側ディスク３Ａの端部に当接される頭部４２と、入力軸１が挿通される両出力側ディスク３Ａ，３Ｂおよび出力歯車４の貫通孔６０，６２に挿通される軸部４４とから成るボルト部材４０Ａと、ボルト部材４０Ａの軸部４４の端部に螺合され、他方側の出力側ディスク３Ｂの端部に当接されるナット部材４０Ｂとを備え、ボルト部材４０Ａの軸部４４を両出力側ディスク３Ａ，３Ｂおよび出力歯車４の貫通孔６０，６２に挿通するとともに、軸部４４の端部にナット部材４０Ｂを螺合して、ナット部材４０Ｂとボルト部材４０Ａの頭部４２との間で両出力側ディスク３Ａ，３Ｂを両側から挟み込むように締め付けることにより、出力側ディスク３Ａ，３Ｂと接触するアンギュラ軸受３０に予圧を付与することを特徴としている。